(57)【要約】【課題】無線通信機が記憶している複数の受信周波数のうちのいずれかの受信周波数を選択する際の操作性を向上させることができる無線通信機を提供する。【解決手段】受信周波数抽出部は、受信周波数の入力を待機する状態で、数字キーによって任意の桁数の数字が入力された後に所定の操作がなされたとき、メモリに記憶されている複数の受信周波数のうち、受信周波数における最上位桁からの任意の桁数の数字が、入力された任意の桁数の数字と一致する受信周波数を検索して抽出する。表示制御部は、所定の操作に応答して、受信周波数抽出部によって抽出された受信周波数を順に受信周波数表示部１０１に表示するよう制御する。【選択図】図４
2019145904.tif 000002
【特許請求の範囲】
【請求項１】
受信部によって受信する信号の複数の受信周波数を記憶するメモリと、
受信周波数の入力を待機する状態で、数字キーによって任意の桁数の数字が入力された後に所定の操作がなされたとき、前記メモリに記憶されている複数の受信周波数のうち、受信周波数における最上位桁からの前記任意の桁数の数字が、入力された前記任意の桁数の数字と一致する受信周波数を検索して抽出する受信周波数抽出部と、
所定の操作に応答して、前記受信周波数抽出部によって抽出された受信周波数を順に受信周波数表示部に表示するよう制御する表示制御部と、
を備えることを特徴とする無線通信機。
【請求項２】
受信部によって受信する信号の複数の受信周波数を記憶するメモリと、
受信周波数の入力を待機する状態で、複数の通信モード選択キーのうちのいずれかが操作された後に所定の操作がなされたとき、前記メモリに記憶されている複数の受信周波数のうち、操作された通信モード選択キーに対応する通信モードと一致する通信モードの受信周波数を検索して抽出する受信周波数抽出部と、
所定の操作に応答して、前記受信周波数抽出部によって抽出された受信周波数を順に受信周波数表示部に表示するよう制御する表示制御部と、
を備えることを特徴とする無線通信機。
【請求項３】
受信周波数を決定する操作がなされたら、前記受信周波数表示部に表示されている受信周波数の信号の受信を確定するよう制御する受信制御部をさらに備えることを特徴とする請求項１または２に記載の無線通信機。
【請求項４】
前記受信制御部は、受信周波数を決定する操作がなされていない状態であっても、前記表示制御部が前記受信周波数表示部に受信周波数を表示させた時点で、前記表示制御部に表示されている受信周波数の信号の受信を開始するよう制御することを特徴とする請求項３に記載の無線通信機。
【発明の詳細な説明】
【技術分野】
【０００１】
本発明は、所定の周波数の信号を受信する無線通信機に関する。
【背景技術】
【０００２】
無線通信機は、受信しようとする信号の周波数（受信周波数）を、テンキーを用いて直接入力するエントリモードを備える。無線通信機は、エントリモードによって入力された受信周波数の履歴を記憶している。ユーザは、履歴を読み出して、履歴のうちのいずれかの受信周波数を選択して受信周波数を設定することができる。
【０００３】
また、無線通信機は、受信周波数をメモリチャンネルに予め登録することができる。ユーザは、メモリチャンネルに登録されている受信周波数のうちのいずれかの受信周波数を選択して受信周波数を設定することができる。
【先行技術文献】
【特許文献】
【０００４】
【特許文献１】特開平７−２２１６６６号公報
【特許文献２】特開２００５−１２３７２１号公報
【発明の概要】
【発明が解決しようとする課題】
【０００５】
エントリモードによって直接入力された受信周波数またはメモリチャンネルに登録されている受信周波数のような無線通信機が記憶している受信周波数が多くなればなるほど、信号を受信しようとする受信周波数を選択しにくくなる。無線通信機が記憶している複数の受信周波数のうちのいずれかの受信周波数を選択する際の操作性を向上させることが求められている。
【０００６】
本発明は、無線通信機が記憶している複数の受信周波数のうちのいずれかの受信周波数を選択する際の操作性を向上させることができる無線通信機を提供することを目的とする。
【課題を解決するための手段】
【０００７】
本発明は、受信部によって受信する信号の複数の受信周波数を記憶するメモリと、受信周波数の入力を待機する状態で、数字キーによって任意の桁数の数字が入力された後に所定の操作がなされたとき、前記メモリに記憶されている複数の受信周波数のうち、受信周波数における最上位桁からの前記任意の桁数の数字が、入力された前記任意の桁数の数字と一致する受信周波数を検索して抽出する受信周波数抽出部と、所定の操作に応答して、前記受信周波数抽出部によって抽出された受信周波数を順に受信周波数表示部に表示するよう制御する表示制御部とを備えることを特徴とする無線通信機を提供する。
【０００８】
本発明は、受信部によって受信する信号の複数の受信周波数を記憶するメモリと、受信周波数の入力を待機する状態で、複数の通信モード選択キーのうちのいずれかが操作された後に所定の操作がなされたとき、前記メモリに記憶されている複数の受信周波数のうち、操作された通信モード選択キーに対応する通信モードと一致する通信モードの受信周波数を検索して抽出する受信周波数抽出部と、所定の操作に応答して、前記受信周波数抽出部によって抽出された受信周波数を順に受信周波数表示部に表示するよう制御する表示制御部とを備えることを特徴とする無線通信機を提供する。
【発明の効果】
【０００９】
本発明の無線通信機によれば、無線通信機が記憶している複数の受信周波数のうちのいずれかの受信周波数を選択する際の操作性を向上させることができる。
【図面の簡単な説明】
【００１０】
【図１】一実施形態の無線通信機を示すブロック図である。
【図２】一実施形態の無線通信機の前面パネルの構成例を示す部分平面図である。
【図３】周波数エントリ履歴の一例を示す図である。
【図４】周波数エントリ履歴として記憶されている複数の受信周波数のうちのいずれかの受信周波数を選択する際の動作の第１の例を示す図である。
【図５】周波数エントリ履歴として記憶されている複数の受信周波数のうちのいずれかの受信周波数を選択する際の動作の第２の例を示す図である。
【図６】周波数エントリ履歴として記憶されている複数の受信周波数のうちのいずれかの受信周波数を選択する際の動作の第３の例を示す図である。
【図７】メモリチャンネルの一例を示す図である。
【図８】メモリチャンネルに記憶されている複数の受信周波数のうちのいずれかの受信周波数を選択する際の動作の第１の例を示す図である。
【図９】メモリチャンネルに記憶されている複数の受信周波数のうちのいずれかの受信周波数を選択する際の動作の第２の例を示す図である。
【図１０】周波数エントリ履歴として記憶されている複数の受信周波数のうちのいずれかの受信周波数を選択する際の動作の第１の例を実現する処理を示すフローチャートである。
【図１１】周波数エントリ履歴として記憶されている複数の受信周波数のうちのいずれかの受信周波数を選択する際の動作の第２の例を実現する処理を示すフローチャートである。
【図１２】一実施形態の無線通信機における制御部の機能的な内部構成例を示すブロック図である。
【発明を実施するための形態】
【００１１】
以下、一実施形態の無線通信機について、添付図面を参照して説明する。まず、図１を用いて、一実施形態の無線通信機１００の全体的な構成例及び動作を説明する。
【００１２】
図１において、制御部１は、無線通信機１００の全体を制御する。制御部１は、マイクロコンピュータまたは中央処理装置（ＣＰＵ）によって構成することができる。制御部１は、内蔵のＲＡＭ１ａを有する。ＲＡＭ１ａは制御部１に対して外付けされていてもよい。
【００１３】
制御部１には、ＤＳＰ（Digital Signal Processor）４が接続されている。ＤＳＰ４はプロセッサの一例である。ＤＳＰ４には、送受信部２とマイクロホン５とスピーカ６が接続されている。送受信部２には、電波を送受信するためのアンテナ３が接続されている。送受信部２は、送信部と受信部とが一体的に構成された回路ブロックである。送受信部２は、半二重通信方式で他の無線通信機へと音声データ等を送信する。送受信部２は、半二重通信方式で他の無線通信機が送信した音声データ等を受信する。
【００１４】
送受信部２が受信したデータはＤＳＰ４に供給される。ＤＳＰ４は、受信した音声データを復調及び復号することによって生成した音声信号をスピーカ６に供給する。マイクロホン５は、無線通信機１００のユーザが発した音声を収音して音声信号に変換し、音声信号をＤＳＰ４に供給する。ＤＳＰ４は、入力された音声信号に帯域制限等の各種の処理を施して変調波を生成して、送受信部２に供給する。送受信部２は、ＤＳＰ４から供給された変調波により搬送波を変調して、アンテナ３を介して送信する。
【００１５】
制御部１には、さらに、時計８、不揮発性メモリ９、ディスプレイ１０、ＰＴＴ（Push To Talk）スイッチ１１、操作部１２、ＲＯＭ１３が接続されている。時計８は、一例としてＲＴＣ（Real Time Clock）である。
【００１６】
不揮発性メモリ９は、後述する周波数エントリ履歴及びメモリチャンネルを記憶する。不揮発性メモリ９は、例えば、EEPROM（Electrically Erasable Programmable Read Only Memory）である。不揮発性メモリ９は、周波数エントリ履歴のみを記憶してもよいし、メモリチャンネルのみを記憶してもよい。周波数エントリ履歴とメモリチャンネルとが別々の不揮発性メモリに記憶されていてもよい。
【００１７】
ユーザが発話して音声信号を送信するとき、ユーザはＰＴＴスイッチ１１を押す。制御部１は、ＰＴＴスイッチ１１が押されていない状態では無線通信機１００を受信待機状態とし、ＰＴＴスイッチ１１が押されている状態では無線通信機１００を送信状態とする。操作部１２は、後述する各種の操作キーを含む。ユーザは、操作部１２の操作キーを操作することによって、周波数エントリ履歴またはメモリチャンネルに記憶されている複数の受信周波数のうちのいずれかの受信周波数を選択することができる。
【００１８】
記憶部の一例であるＲＯＭ１３には、ユーザによる操作キーの操作に応じて、周波数エントリ履歴またはメモリチャンネルに記憶されている複数の受信周波数のうちのいずれかの受信周波数を選択するよう制御部１を動作させるコンピュータプログラム（周波数選択プログラム）が記憶されている。ＲＯＭ１３は、制御部１に内蔵されていてもよい。
【００１９】
図１において、白抜きの矢印は、構成要素間を接続するバスを示している。バスの代わりに通常の信号接続線を用いることがあってもよい。
【００２０】
図２を用いて、無線通信機１００の前面パネル１１０の構成例を説明する。前面パネル１１０は、ディスプレイ１０の１つとして、受信周波数表示部１０１を備える。図２においては、受信周波数表示部１０１に、一例として、受信周波数１４ＭＨｚを示す“１４．０００．０００”と表示されている。
【００２１】
前面パネル１１０は、操作部１２として、テンキー１２１、通信モードのＵＳＢ（Upper Side Band）モードを選択するＵＳＢキー１２２、通信モードのＬＳＢ（Lower Side Band）モードを選択するＬＳＢキー１２３、通信モードのＣＷ（Continuous Wave）モードを選択するＣＷキー１２４を備える。ＵＳＢキー１２２、ＬＳＢキー１２３、ＣＷキー１２４は通信モード選択キーの例である。
【００２２】
ＵＳＢキー１２２とＬＳＢキー１２３とが１つのキーであり、押下されるたびにＵＳＢモードとＬＳＢモードとが切り替えられてもよい。通信モード選択キーの構成の仕方は任意である。
【００２３】
また、前面パネル１１０は、操作部１２として、周波数エントリ履歴とメモリチャンネルとを切り替える切替キー１２５、エントリキー１２６、クリック式ロータリエンコーダを回転させる回転つまみ１２７を備える。
【００２４】
ユーザがエントリキー１２６を操作すると、無線通信機１００は、テンキー１２１が操作されることにより受信周波数を直接入力可能なエントリモードとなる。無線通信機１００がエントリモードとなっている状態でユーザがテンキー１２１を操作して受信周波数を入力すると、不揮発性メモリ９は、最新の受信周波数から最大で１０件の受信周波数を周波数エントリ履歴として記憶する。ここでは、不揮発性メモリ９は、図３に示すような周波数エントリ履歴を記憶しているとする。図３に示す履歴番号Ｅ０が最新の受信周波数であり、Ｅ９が最も過去の受信周波数である。履歴番号Ｅ０〜Ｅ９には、受信周波数と通信モードとが対応付けられている。
【００２５】
図４を用いて、周波数エントリ履歴として記憶されている複数の受信周波数のうちのいずれかの受信周波数を選択する際の動作の第１の例を説明する。図４に示す操作の前に、切替キー１２５によって周波数エントリ履歴から受信周波数を選択するモードに設定されているとする。
【００２６】
図４において、受信周波数表示部１０１には現在の受信周波数である“１４．０００．０００”が表示されている。ユーザがエントリキー１２６を押下すると、制御部１は、受信周波数表示部１０１に“――．―――．―――”と表示させる。この状態は、受信周波数の入力を待機する状態である。
【００２７】
例えば、ユーザがテンキー１２１の数字キー“１”を押下すると、制御部１は、受信周波数表示部１０１に“１―．―――．―――”と表示させる。次に、例えば、ユーザがテンキー１２１の数字キー“４”を押下すると、制御部１は、受信周波数表示部１０１に“１４．―――．―――”と表示させる。ユーザが入力した“１４”は周波数制限情報としてＲＡＭ１ａに記憶される。ここでは、ユーザが入力した数字を２桁としているが、１桁であってもよく、３桁以上であってもよい。
【００２８】
この状態で、ユーザが回転つまみ１２７を例えばアップ方向に回転させると、制御部１は、図３に示す周波数エントリ履歴のうち、受信周波数の最上位桁からの２桁が“１４”である受信周波数を検索して抽出する。図３に示す例では、“１４．０００．０００”、“１４．１００．０００”、“１４．２００．０００”の３つの受信周波数が条件に該当する。制御部１は、条件に該当する周波数のうち、最も新しい“１４．０００．０００”を受信周波数表示部１０１に表示させる。
【００２９】
図４において、制御部１は、受信周波数に併せて履歴番号を表示させているが、履歴番号を表示しなくてもよい。
【００３０】
ユーザが回転つまみ１２７をアップ方向に回転させると、制御部１は、“１４．０００．０００”に代えて“１４．１００．０００”を受信周波数表示部１０１に表示させる。ユーザが回転つまみ１２７をさらにアップ方向に回転させると、制御部１は、“１４．１００．０００”に代えて“１４．２００．０００”を受信周波数表示部１０１に表示させる。
【００３１】
回転つまみ１２７の回転は、抽出された受信周波数を順に受信周波数表示部１０１に表示させるための所定の操作の一例である。回転つまみ１２７を回転させる代わりに、図示していないアップ／ダウンキーを操作したら、抽出された受信周波数を順に受信周波数表示部１０１に表示させてもよい。
【００３２】
制御部１は、回転つまみ１２７がアップ方向に回転されるたびに、受信周波数表示部１０１に表示させる受信周波数を切り替える。制御部１は、最も過去の“１４．２００．０００”が表示されている状態において回転つまみ１２７がアップ方向に回転されれば最も新しい“１４．０００．０００”に戻して、受信周波数を周回させる。制御部１は、回転つまみ１２７がダウン方向に回転させれば、最も過去の“１４．２００．０００”から最も新しい“１４．０００．０００”へと受信周波数を切り替えて周回させる。
【００３３】
このように、本実施形態においては、ユーザによって受信周波数の最上位桁からの任意の桁数の数字が入力されたとき、制御部１は、受信周波数における最上位桁から任意の桁数の数字が、入力された任意の桁数の数字と一致する受信周波数のみを選択的に受信周波数表示部１０１に表示させる。これにより、ユーザは目的とする受信周波数を即座に選択して、無線通信機１００が信号を受信する受信周波数として設定することができる。
【００３４】
目的とする受信周波数が受信周波数表示部１０１に表示されている状態で、ユーザが受信周波数を決定する操作としてエントリキー１２６を押下したら、制御部１は受信周波数を確定する。
【００３５】
ところで、図４において、無線通信機１００は、受信周波数表示部１０１に“１４．０００．０００”と表示された時点で、受信周波数１４ＭＨｚの信号の受信を開始するのがよい。同様に、無線通信機１００は、受信周波数表示部１０１に“１４．１００．０００”と表示された時点で受信周波数１４．１ＭＨｚの信号の受信を開始し、“１４．２００．０００”と表示された時点で受信周波数１４．２ＭＨｚの信号の受信を開始するのがよい。
【００３６】
制御部１は、受信周波数表示部１０１に所定の受信周波数を表示したら、エントリキー１２６が押下されていない状態であっても、送受信部２によって表示された受信周波数の信号の受信を開始するよう制御するのがよい。このようにすれば、エントリキー１２６が押下された後に受信を開始するよりも即座に目的とする受信周波数の信号を受信することができる。
【００３７】
図５を用いて、周波数エントリ履歴として記憶されている複数の受信周波数のうちのいずれかの受信周波数を選択する際の動作の第２の例を説明する。図５に示す操作の前に、切替キー１２５によって周波数エントリ履歴から受信周波数を選択するモードに設定されているとする。
【００３８】
図５において、受信周波数表示部１０１には現在の受信周波数である“１４．０００．０００”が表示されている。受信周波数表示部１０１には、通信モードがＵＳＢモードであることを示す“ＵＳＢ”なる文字も併せて表示されている。図４においても、受信周波数に併せて通信モードを示す文字を表示してもよい。
【００３９】
ユーザがエントリキー１２６を押下すると、制御部１は、受信周波数表示部１０１に“――．―――．―――”と表示させる。の状態は、受信周波数の入力を待機する状態である。
【００４０】
例えば、ユーザがＣＷモードの受信周波数を選択するためにＣＷモードを選択するＣＷキー１２４を押下すると、制御部１は、受信周波数表示部１０１に“ＵＳＢ”なる文字の代わりに“ＣＷ”なる文字を表示させる。
【００４１】
この状態で、ユーザが回転つまみ１２７を例えばアップ方向に回転させると、制御部１は、図３に示す周波数エントリ履歴のうち、ＣＷモードの受信周波数を検索して抽出する。図３に示す例では、“７．０００．０００”、“１４．０００．０００”、５０．１００．０００”の３つの受信周波数が条件に該当する。制御部１は、条件に該当する周波数のうち、最も新しい“７．０００．０００”を受信周波数表示部１０１に表示させる。
【００４２】
ユーザが回転つまみ１２７をアップ方向に回転させると、制御部１は、“７．０００．０００”に代えて“１４．０００．０００”を受信周波数表示部１０１に表示させる。ユーザが回転つまみ１２７をさらにアップ方向に回転させると、制御部１は、“１４．０００．０００”に代えて“５０．０００．０００”を受信周波数表示部１０１に表示させる。
【００４３】
制御部１は、回転つまみ１２７がアップ方向に回転されるたびに、受信周波数表示部１０１に表示させる受信周波数を切り替える。制御部１は、最も過去の“５０．０００．０００”が表示されている状態において回転つまみ１２７がアップ方向に回転されれば最も新しい“７．０００．０００”に戻して、受信周波数を周回させる。制御部１は、回転つまみ１２７がダウン方向に回転させれば、最も過去の“５０．０００．０００”から最も新しい“７．０００．０００”へと受信周波数を切り替えて周回させる。
【００４４】
このように、ユーザによっていずれかの通信モードが指定されて、制御部１が指定された通信モードと一致する通信モードの受信周波数のみを選択的に受信周波数表示部１０１に表示させれば、ユーザは目的とする受信周波数を即座に選択して、無線通信機１００が信号を受信する受信周波数として設定することができる。
【００４５】
同様に、目的とする受信周波数が受信周波数表示部１０１に表示されている状態で、ユーザがエントリキー１２６を押下したら、制御部１は受信周波数を確定する。同様に、制御部１は、受信周波数表示部１０１に所定の受信周波数を表示したら、エントリキー１２６が押下されていない状態であっても、送受信部２によって表示された受信周波数の信号の受信を開始するよう制御するのがよい。
【００４６】
図６を用いて、周波数エントリ履歴として記憶されている複数の受信周波数のうちのいずれかの受信周波数を選択する際の動作の第３の例を説明する。図６に示す操作の前に、切替キー１２５によって周波数エントリ履歴から受信周波数を選択するモードに設定されているとする。
【００４７】
図６において、受信周波数表示部１０１には、通信モードがＵＳＢモードであることを示す“ＵＳＢ”なる文字と、現在の受信周波数である“１４．０００．０００”とが表示されている。
【００４８】
ユーザがエントリキー１２６を押下すると、制御部１は、受信周波数表示部１０１に“――．―――．―――”と表示させる。例えば、ユーザがＬＳＢモードの受信周波数を選択するためにＬＳＢモードを選択するＬＳＢキー１２３を押下すると、制御部１は、受信周波数表示部１０１に“ＵＳＢ”なる文字の代わりに“ＬＳＢ”なる文字を表示させる。
【００４９】
例えば、ユーザがテンキー１２１の数字キー“５”を押下すると、制御部１は、受信周波数表示部１０１に“５―．―――．―――”と表示させる。次に、例えば、ユーザがテンキー１２１の数字キー“０”を押下すると、制御部１は、受信周波数表示部１０１に“５０．―――．―――”と表示させる。
【００５０】
この状態で、ユーザが回転つまみ１２７を例えばアップ方向に回転させると、制御部１は、図３に示す周波数エントリ履歴のうち、通信モードがＬＳＢモードであって、受信周波数の最上位桁からの２桁が“５０”である受信周波数を検索して抽出する。図３に示す例では、“５０．１００．０００”、“５０．２００．０００”、“５０．３００．０００”の３つの受信周波数が条件に該当する。制御部１は、条件に該当する周波数のうち、最も新しい“５０．１００．０００”を受信周波数表示部１０１に表示させる。
【００５１】
ユーザが回転つまみ１２７をアップ方向に回転させると、制御部１は、“５０．１００．０００”に代えて“５０．２００．０００”を受信周波数表示部１０１に表示させる。ユーザが回転つまみ１２７をさらにアップ方向に回転させると、制御部１は、“５０．２００．０００”に代えて“５０．３００．０００”を受信周波数表示部１０１に表示させる。
【００５２】
制御部１は、回転つまみ１２７がアップ方向に回転されるたびに、受信周波数表示部１０１に表示させる受信周波数を切り替える。制御部１は、最も過去の“５０．３００．０００”が表示されている状態において回転つまみ１２７がアップ方向に回転されれば最も新しい“５０．１００．０００”に戻して、受信周波数を周回させる。制御部１は、回転つまみ１２７がダウン方向に回転させれば、最も過去の“５０．３００．０００”から最も新しい“５０．１００．０００”へと受信周波数を切り替えて周回させる。
【００５３】
このように、ユーザによっていずれかの通信モードが指定されて、ユーザによって受信周波数の最上位桁からの任意の桁数の数字が入力されたとき、制御部１は、指定された通信モードと一致する通信モードであって、受信周波数における最上位桁から任意の桁数の数字が、入力された任意の桁数の数字と一致する受信周波数のみを選択的に受信周波数表示部１０１に表示させる。これにより、ユーザは目的とする受信周波数を即座に選択して、無線通信機１００が信号を受信する受信周波数として設定することができる。
【００５４】
同様に、目的とする受信周波数が受信周波数表示部１０１に表示されている状態で、ユーザがエントリキー１２６を押下したら、制御部１は受信周波数を確定する。同様に、制御部１は、受信周波数表示部１０１に所定の受信周波数を表示したら、エントリキー１２６が押下されていない状態であっても、送受信部２によって表示された受信周波数の信号の受信を開始するよう制御するのがよい。
【００５５】
次に、メモリチャンネルに記憶されている複数の受信周波数のうちのいずれかの受信周波数を選択する際の動作の各例を説明する。不揮発性メモリ９は、図７に示すようなメモリチャンネルを記憶しているとする。メモリチャンネルＭ．ＣＨ０〜Ｍ．ＣＨ９には、受信周波数と通信モードとが対応付けられている。メモリチャンネルのチャンネル（受信周波数）の最大記憶数は１０を超える任意の数でよい。
【００５６】
図８を用いて、メモリチャンネルに記憶されている複数の受信周波数のうちのいずれかの受信周波数を選択する際の動作の第１の例を説明する。図８に示す操作の前に、切替キー１２５によってメモリチャンネルから受信周波数を選択するモードに設定されているとする。
【００５７】
図８において、受信周波数表示部１０１には現在の受信周波数であるメモリチャンネルＭ．ＣＨ０の“７．０００．０００”が表示されている。ユーザがエントリキー１２６を押下すると、制御部１は、受信周波数表示部１０１に“――．―――．―――”と表示させる。例えば、ユーザがテンキー１２１の数字キー“１”を押下すると、制御部１は、受信周波数表示部１０１に“１―．―――．―――”と表示させる。次に、例えば、ユーザがテンキー１２１の数字キー“４”を押下すると、制御部１は、受信周波数表示部１０１に“１４．―――．―――”と表示させる。
【００５８】
この状態で、ユーザが回転つまみ１２７を例えばアップ方向に回転させると、制御部１は、図７に示すメモリチャンネルのうち、受信周波数の最上位桁からの２桁が“１４”である受信周波数を検索して抽出する。図７に示す例では、“１４．０００．０００”、“１４．１００．０００”、“１４．２００．０００”の３つの受信周波数が条件に該当する。制御部１は、条件に該当する周波数のうち、最も新しい“１４．０００．０００”を受信周波数表示部１０１に表示させる。
【００５９】
図８において、制御部１は、受信周波数に併せてメモリチャンネルの番号を表示させているが、メモリチャンネルの番号を表示しなくてもよい。
【００６０】
ユーザが回転つまみ１２７をアップ方向に回転させると、制御部１は、“１４．０００．０００”に代えて“１４．１００．０００”を受信周波数表示部１０１に表示させる。ユーザが回転つまみ１２７をさらにアップ方向に回転させると、制御部１は、“１４．１００．０００”に代えて“１４．２００．０００”を受信周波数表示部１０１に表示させる。
【００６１】
制御部１は、回転つまみ１２７がアップ方向に回転されるたびに、受信周波数表示部１０１に表示させる受信周波数を切り替える。制御部１は、最も過去の“１４．２００．０００”が表示されている状態において回転つまみ１２７がアップ方向に回転されれば最も新しい“１４．０００．０００”に戻して、受信周波数を周回させる。制御部１は、回転つまみ１２７がダウン方向に回転させれば、最も過去の“１４．２００．０００”から最も新しい“１４．０００．０００”へと受信周波数を切り替えて周回させる。
【００６２】
このように、本実施形態においては、ユーザによって受信周波数の最上位桁からの任意の桁数の数字が入力されたとき、制御部１は、受信周波数における最上位桁から任意の桁数の数字が、入力された任意の桁数の数字と一致する受信周波数のみを選択的に受信周波数表示部１０１に表示させる。これにより、ユーザは目的とする受信周波数を即座に選択して、無線通信機１００が信号を受信する受信周波数として設定することができる。
【００６３】
目的とする受信周波数が受信周波数表示部１０１に表示されている状態で、ユーザがエントリキー１２６を押下したら、制御部１は受信周波数を確定する。
【００６４】
同様に、目的とする受信周波数が受信周波数表示部１０１に表示されている状態で、ユーザがエントリキー１２６を押下したら、制御部１は受信周波数を確定する。同様に、制御部１は、受信周波数表示部１０１に所定の受信周波数を表示したら、エントリキー１２６が押下されていない状態であっても、送受信部２によって表示された受信周波数の信号の受信を開始するよう制御するのがよい。
【００６５】
図９を用いて、メモリチャンネルに記憶されている複数の受信周波数のうちのいずれかの受信周波数を選択する際の動作の第２の例を説明する。図９に示す操作の前に、切替キー１２５によってメモリチャンネルから受信周波数を選択するモードに設定されているとする。
【００６６】
図９において、受信周波数表示部１０１には現在の受信周波数であるＬＳＢモードのメモリチャンネルＭ．ＣＨ１の“７．１００．０００”が表示されている。
【００６７】
ユーザがエントリキー１２６を押下すると、制御部１は、受信周波数表示部１０１に“――．―――．―――”と表示させる。例えば、ユーザがＣＷモードの受信周波数を選択するためにＣＷモードを選択するＣＷキー１２４を押下すると、制御部１は、受信周波数表示部１０１に“ＬＳＢ”なる文字の代わりに“ＣＷ”なる文字を表示させる。
【００６８】
この状態で、ユーザが回転つまみ１２７を例えばアップ方向に回転させると、制御部１は、図７に示すメモリチャンネルのうち、ＣＷモードの受信周波数を検索して抽出する。図７に示す例では、メモリチャンネルＭ．ＣＨ０の“７．０００．０００”、メモリチャンネルＭ．ＣＨ３の“１４．０００．０００”、メモリチャンネルＭ．ＣＨ６の５０．１００．０００”の３つの受信周波数が条件に該当する。制御部１は、条件に該当する周波数のうち、番号が最も小さいメモリチャンネルＭ．ＣＨ０の“７．０００．０００”を受信周波数表示部１０１に表示させる。
【００６９】
ユーザが回転つまみ１２７をアップ方向に回転させると、制御部１は、メモリチャンネルＭ．ＣＨ０の“７．０００．０００”に代えてメモリチャンネルＭ．ＣＨ３の“１４．０００．０００”を受信周波数表示部１０１に表示させる。ユーザが回転つまみ１２７をさらにアップ方向に回転させると、制御部１は、メモリチャンネルＭ．ＣＨ３の“１４．０００．０００”に代えてメモリチャンネルＭ．ＣＨ６の“５０．０００．０００”を受信周波数表示部１０１に表示させる。
【００７０】
制御部１は、回転つまみ１２７がアップ方向に回転されるたびに、受信周波数表示部１０１に表示させる受信周波数を切り替える。制御部１は、番号が最も大きいメモリチャンネルＭ．ＣＨ６の“５０．０００．０００”が表示されている状態において回転つまみ１２７がアップ方向に回転されれば番号が最も小さいメモリチャンネルＭ．ＣＨ０の“７．０００．０００”に戻して、受信周波数を周回させる。
【００７１】
制御部１は、回転つまみ１２７がダウン方向に回転させれば、番号が最も大きいメモリチャンネルＭ．ＣＨ６の“５０．０００．０００”から番号が最も小さいメモリチャンネルＭ．ＣＨ０の“７．０００．０００”へと受信周波数を切り替えて周回させる。
【００７２】
このように、ユーザによっていずれかの通信モードが指定されて、制御部１が指定された通信モードと一致する通信モードの受信周波数のみを選択的に受信周波数表示部１０１に表示させれば、ユーザは目的とする受信周波数を即座に選択して、無線通信機１００が信号を受信する受信周波数として設定することができる。
【００７３】
同様に、目的とする受信周波数が受信周波数表示部１０１に表示されている状態で、ユーザがエントリキー１２６を押下したら、制御部１は受信周波数を確定する。同様に、制御部１は、受信周波数表示部１０１に所定の受信周波数を表示したら、エントリキー１２６が押下されていない状態であっても、送受信部２によって表示された受信周波数の信号の受信を開始するよう制御するのがよい。
【００７４】
メモリチャンネルに記憶されている複数の受信周波数のうちのいずれかの受信周波数を選択する際の動作においても、図６と同様の第３の例とすることができる。具体的には、ユーザは、図９に示すように通信モードを指定した上で、図８に示すように受信周波数の最上位桁からの１または複数桁の数字を指定することができる。
【００７５】
図１０に示すフローチャートを用いて、周波数エントリ履歴として記憶されている複数の受信周波数のうちのいずれかの受信周波数を選択する際の動作の第１の例を実現する制御部１による処理を説明する。
【００７６】
図１０において、無線通信機１００の動作開始後、制御部１は、ステップＳ１にて、エントリキー１２６が押下されたか否かを判定する。エントリキー１２６が押下されなければ（NO）、制御部１はステップＳ１の処理を繰り返す。
【００７７】
ここでのエントリキー１２６が押下されれば（YES）、制御部１は、ステップＳ２にて、エントリモードを起動する。エントリモードとは、図４に示すように、現在の受信周波数の表示を“――．―――．―――”なる表示へと切り替えて、数字キーの入力を待機するモードである。
【００７８】
制御部１は、ステップＳ３にて、テンキー１２１のうちのいずれかの数字キーが押下されたか否かを判定する。数字キーが押下されなければ（NO）、制御部１はステップＳ３の処理を繰り返す。数字キーが押下されれば（YES）、制御部１は、ステップＳ４にて、受信周波数表示部１０１の表示を更新し、ステップＳ５にて、回転つまみ１２７が回されたか否かを判定する。回転つまみ１２７が回されなければ（NO）、制御部１は処理をステップＳ３に戻す。
【００７９】
回転つまみ１２７が回されれば（YES）、制御部１は、ステップＳ６にて、数字キーで入力された周波数制限情報をＲＡＭ１ａに保持し、ステップＳ７にて、周波数制限情報で周波数エントリ履歴を検索して、該当する受信周波数を抽出する。制御部１は、ステップＳ８にて、受信周波数表示部１０１における周波数エントリ履歴の表示を更新し、ステップＳ９にて、表示されている受信周波数の信号の受信を開始するようＤＳＰ４を制御する。
【００８０】
制御部１は、ステップＳ１０にて、回転つまみ１２７が回されたか否かを判定する。回転つまみ１２７が回されれば（YES）、制御部１は処理をステップＳ７に戻す。回転つまみ１２７が回されなければ（NO）、制御部１は、ステップＳ１１にて、エントリキー１２６が押下されたか否かを判定する。エントリキー１２６が押下されなければ（NO）、制御部１は処理をステップＳ１０に戻す。
【００８１】
ステップＳ１１にてエントリキー１２６が押下されれば（YES）、制御部１は、ステップＳ１２にて、受信周波数を確定し、ステップＳ１３にて、エントリモードを終了させ、受信周波数の選択処理を終了させる。
【００８２】
図８に示す、メモリチャンネルに記憶されている複数の受信周波数のうちのいずれかの受信周波数を選択する際の動作の第１の例を実現する制御部１による処理は、図１０と同様である。制御部１は、ステップＳ７にて、周波数制限情報でメモリチャンネルを検索する処理を実行し、ステップＳ８にて、受信周波数表示部１０１におけるメモリチャンネルの表示を更新すればよい。
【００８３】
図１１に示すフローチャートを用いて、周波数エントリ履歴として記憶されている複数の受信周波数のうちのいずれかの受信周波数を選択する際の動作の第２の例を実現する制御部１による処理を説明する。
【００８４】
図１１において、無線通信機１００の動作開始後、制御部１は、ステップＳ２１にて、エントリキー１２６が押下されたか否かを判定する。エントリキー１２６が押下されなければ（NO）、制御部１はステップＳ２１の処理を繰り返す。エントリキー１２６が押下されれば（YES）、制御部１は、ステップＳ２２にて、エントリモードを起動する。
【００８５】
ここでのエントリモードとは、図５に示すように、現在の受信周波数の表示を“――．―――．―――”なる表示へと切り替えて、ＵＳＢキー１２２、ＬＳＢキー１２３、ＣＷキー１２４いずれかの通信モード選択キーの入力を待機するモードである。
【００８６】
制御部１は、ステップＳ２３にて、通信モード選択キーが押下されたか否かを判定する。通信モード選択キーが押下されなければ（NO）、制御部１はステップＳ２３の処理を繰り返す。通信モード選択キーが押下されれば（YES）、制御部１は、ステップＳ２４にて、受信周波数表示部１０１の表示を更新し、ステップＳ２５にて、回転つまみ１２７が回されたか否かを判定する。回転つまみ１２７が回されなければ（NO）、制御部１は処理をステップＳ２３に戻す。
【００８７】
回転つまみ１２７が回されれば（YES）、制御部１は、ステップＳ２６にて、押下された通信モード選択キーの通信モード制限情報をＲＡＭ１ａに保持し、ステップＳ２７にて、通信モード制限情報で周波数エントリ履歴を検索して、該当する受信周波数を抽出する。制御部１は、ステップＳ２８にて、受信周波数表示部１０１における周波数エントリ履歴の表示を更新し、ステップＳ２９にて、表示されている受信周波数の信号の受信を開始するようＤＳＰ４を制御する。
【００８８】
制御部１は、ステップＳ３０にて、回転つまみ１２７が回されたか否かを判定する。回転つまみ１２７が回されれば（YES）、制御部１は処理をステップＳ２７に戻す。回転つまみ１２７が回されなければ（NO）、制御部１は、ステップＳ３１にて、エントリキー１２６が押下されたか否かを判定する。エントリキー１２６が押下されなければ（NO）、制御部１は処理をステップＳ３０に戻す。
【００８９】
ステップＳ３１にてエントリキー１２６が押下されれば（YES）、制御部１は、ステップＳ３２にて、受信周波数を確定し、ステップＳ３３にて、エントリモードを終了させ、受信周波数の選択処理を終了させる。
【００９０】
図９に示す、メモリチャンネルに記憶されている複数の受信周波数のうちのいずれかの受信周波数を選択する際の動作の第２の例を実現する制御部１による処理は、図１１と同様である。制御部１は、ステップＳ２７にて、通信モード制限情報でメモリチャンネルを検索する処理を実行し、ステップＳ２８にて、受信周波数表示部１０１におけるメモリチャンネルの表示を更新すればよい。
【００９１】
以上説明した本実施形態の無線通信機は、制御部１がＲＯＭ１３に記憶されている周波数選択プログラムを実行することによって、制御部１の機能的な内部構成を図１２に示すように構成することによって実現できる。
【００９２】
図１２において、受信周波数の入力を待機する状態で、数字キーによって任意の桁数の数字が入力された後に所定の操作がなされたとする。このとき、受信周波数抽出部１５１は、不揮発性メモリ９に記憶されている複数の受信周波数のうち、受信周波数における最上位桁からの任意の桁数の数字が、入力された任意の桁数の数字と一致する受信周波数を検索して抽出する。
【００９３】
表示制御部１５２は、所定の操作に応答して、受信周波数抽出部１５１によって抽出された受信周波数を順に受信周波数表示部１０１に表示するよう制御する。受信制御部１５３は、受信周波数を決定する操作がなされたら、受信周波数表示部１０１に表示されている受信周波数の信号を受信するよう制御する。図１の構成においては、受信制御部１５３は受信周波数表示部１０１に表示されている受信周波数の信号を受信するようＤＳＰ４を制御する。
【００９４】
また、図１２において、受信周波数の入力を待機する状態で、複数の通信モード選択キーのうちのいずれかが操作された後に所定の操作がなされたとする。このとき、受信周波数抽出部１５１は、不揮発性メモリ９に記憶されている複数の受信周波数のうち、操作された通信モード選択キーに対応する通信モードと一致する通信モードの受信周波数を検索して抽出する。この場合の表示制御部１５２及び受信制御部１５３の動作は、上記と同様である。
【００９５】
以上のようにして、本実施形態の無線通信機によれば、無線通信機が記憶している複数の受信周波数のうちのいずれかの受信周波数を選択する際の操作性を向上させることができる。
【００９６】
本発明は以上説明した本実施形態に限定されるものではなく、本発明の要旨を逸脱しない範囲において種々変更可能である。
【符号の説明】
【００９７】
１  制御部
２  送受信部（受信部）
９  不揮発性メモリ
１０  ディスプレイ
１２  操作部
１００無線通信機
１０１  受信周波数表示部
１２１  テンキー（数字キー）
１２２  ＵＳＢキー（通信モード選択キー）
１２３  ＬＳＢキー（通信モード選択キー）
１２４  ＣＷキー（通信モード選択キー）
１２７  回転つまみ
１５１  受信周波数抽出部
１５２  表示制御部
１５３  受信制御部
【図１】
2019145904.tif 000003
【図２】
2019145904.tif 000004
【図３】
2019145904.tif 000005
【図４】
2019145904.tif 000006
【図５】
2019145904.tif 000007
【図６】
2019145904.tif 000008
【図７】
2019145904.tif 000009
【図８】
2019145904.tif 000010
【図９】
2019145904.tif 000011
【図１０】
2019145904.tif 000012
【図１１】
2019145904.tif 000013
【図１２】
2019145904.tif 000014